(57)【要約】  クッション付きシートボトム（２４）で使用するための空気圧調整可能ブラダーシステム（９０）は、シートボトムの着座した占有者の坐骨結節の下に位置するための１つまたは２つの後フォーム充填ブラダー（６２，６４）および１つまたは複数の拡張チャンバー（１４，１６）または着座した占有者の大腿部の下に位置するための前フォーム充填ブラダー（６６，６８）を有する。ブラダーを、互いにまたは拡張チャンバーに相互接続する空気通路（７０，７２，７４，９２）が存在する。システムは気密であり、ブラダーは、着座した占有者の体重の下で圧縮可能であり、体重が取り除かれると拡張可能である。ブラダーの圧縮は、ブラダーによる空気を、空気通路を通って拡張チャンバーまたは他のブラダーに変位させ、拡張チャンバーまたは他のブラダーは、その後、拡張する。着座した占有者の坐骨結節の下でのブラダーの圧縮および着座した占有者の大腿部の下での拡張チャンバーまたは他のブラダーの拡張は、正しいレベルの沈み込みを、着座した占有者に経験させる。【選択図】図２１
2020515363.tif 000002
【特許請求の範囲】
【請求項１】
クッション付きシートボトムで使用するための空気圧調整可能ブラダーシステムであって、
（ａ）前記シートボトムの着座した占有者の坐骨結節の下に位置するように適合されるフォーム充填ブラダーと、
（ｂ）１つまたは複数の拡張チャンバーであって、１つまたはそれぞれの拡張チャンバーは、前記着座した占有者の大腿部の下に位置するように適合される、１つまたは複数の拡張チャンバーと、
（ｃ）前記フォーム充填ブラダーを前記１つまたはそれぞれの拡張チャンバーに相互接続する１つまたは複数の空気通路とを備え、
システムは気密であり、前記フォーム充填ブラダーは、前記着座した占有者の体重の下で圧縮可能であり、前記体重が取り除かれると拡張可能であり、
前記フォーム充填ブラダーの圧縮は、前記フォーム充填ブラダー内からの空気を、前記１つまたは複数の空気通路を通って前記１つまたはそれぞれの拡張チャンバーに変位させ、前記１つまたはそれぞれの拡張チャンバーは、その後、拡張し、
それにより、前記着座した占有者の坐骨結節の下での前記フォーム充填ブラダーの前記圧縮および前記着座した占有者の大腿部の下での前記１つまたはそれぞれの拡張チャンバーの前記拡張は、効果的な姿勢支持および腰部痛の防止のために所望される、前記クッション付きシートボトム内への正しいレベルの沈み込みを、前記着座した占有者に、経験させる、ブラダーシステム。
【請求項２】
前記フォーム充填ブラダーから手動操作可能外部空気流量弁までの空気入口および出口通路をさらに備える、請求項１に記載のブラダーシステム。
【請求項３】
前記フォーム充填ブラダーは、実質的に水平方向にではなく、垂直方向に圧縮可能であり、拡張可能である、請求項１に記載のブラダーシステム。
【請求項４】
２つの拡張チャンバーおよび２つの空気通路が存在し、各空気通路は、前記フォーム充填ブラダーをそれぞれの拡張チャンバーに相互接続する、請求項１に記載のブラダーシステム。
【請求項５】
前記フォーム充填ブラダーから手動操作可能外部空気流量弁までの空気入口および出口通路をさらに備える、請求項４に記載のブラダーシステム。
【請求項６】
前記フォーム充填ブラダーは、実質的に水平方向にではなく、垂直方向に圧縮可能であり、拡張可能である、請求項５に記載のブラダーシステム。
【請求項７】
単一拡張チャンバー、および、前記フォーム充填ブラダーを前記単一拡張チャンバーに相互接続する２つの空気通路が存在する、請求項１に記載のブラダーシステム。
【請求項８】
３つの拡張チャンバーおよび３つの空気通路が存在し、各空気通路は、前記フォーム充填ブラダーをそれぞれの拡張チャンバーに相互接続する、請求項１に記載のブラダーシステム。
【請求項９】
単一拡張チャンバー、および、前記フォーム充填ブラダーを前記単一拡張チャンバーに相互接続する単一空気通路が存在する、請求項１に記載のブラダーシステム。
【請求項１０】
クッション付きシートボトムで使用するための空気圧調整可能ブラダーシステムであって、
（ａ）前記シートボトムの着座した占有者の坐骨結節の下に位置するように適合される少なくとも１つの後フォーム充填ブラダーと、
（ｂ）前記着座した占有者の大腿部の下に位置するように適合される一対の前フォーム充填ブラダーと、
（ｃ）１つまたはそれぞれの後フォーム充填ブラダーをそれぞれの前フォーム充填ブラダーに相互接続する一対の空気通路とを備え、
システムは気密であり、前記１つまたはそれぞれの後フォーム充填ブラダーは、前記着座した占有者の体重の下で圧縮可能であり、前記体重が取り除かれると拡張可能であり、
前記１つまたはそれぞれの後フォーム充填ブラダーの前記圧縮は、前記１つまたはそれぞれの後フォーム充填ブラダー内からの空気を、前記空気通路を通って前記前フォーム充填ブラダーに変位させ、前記前フォーム充填ブラダーは、その後、拡張し、
それにより、前記着座した占有者の坐骨結節の下での前記１つまたはそれぞれの後フォーム充填ブラダーの前記圧縮および前記着座した占有者の大腿部の下での前記前フォーム充填ブラダーの前記拡張は、効果的な姿勢支持および腰部痛の防止のために所望される、前記クッション付きシートボトム内への正しいレベルの沈み込みを、前記着座した占有者に、経験させる、ブラダーシステム。
【請求項１１】
１つの後フォーム充填ブラダーから１つの手動操作可能外部空気流量弁までの空気入口および出口通路をさらに備える、請求項１０に記載のブラダーシステム。
【請求項１２】
それぞれのフォーム充填ブラダーは、実質的に水平方向にではなく、垂直方向に圧縮可能であり、拡張可能である、請求項１０に記載のブラダーシステム。
【請求項１３】
２つの後フォーム充填ブラダー、２つの前フォーム充填ブラダー、および３つの空気通路が存在し、前記２つの後フォーム充填ブラダーは、１つの空気通路によって相互接続され、それぞれの後フォーム充填ブラダーは、それぞれの空気通路によってそれぞれの前フォーム充填ブラダーに相互接続される、請求項１０に記載のブラダーシステム。
【請求項１４】
単一後フォーム充填ブラダー、２つの前フォーム充填ブラダー、および２つの空気通路が存在し、それぞれの空気通路は、前記単一後フォーム充填ブラダーをそれぞれの前フォーム充填ブラダーに相互接続する、請求項１０に記載のブラダーシステム。
【請求項１５】
前記単一後フォーム充填ブラダーから手動操作可能外部空気流量弁までの空気入口および出口通路をさらに備える、請求項１４に記載のブラダーシステム。
【請求項１６】
それぞれのフォーム充填ブラダーは、実質的に水平方向にではなく、垂直方向に圧縮可能であり、拡張可能である、請求項１５に記載のブラダーシステム。
【請求項１７】
２つの後フォーム充填ブラダー、２つの前フォーム充填ブラダー、および４つの空気通路が存在し、前記２つの後フォーム充填ブラダーは、１つの空気通路によって相互接続され、それぞれの後フォーム充填ブラダーは、それぞれの空気通路によってそれぞれの前フォーム充填ブラダーに相互接続され、前記２つの前フォーム充填ブラダーは、１つの空気通路によって相互接続される、請求項１０に記載のブラダーシステム。
【請求項１８】
１つの後フォーム充填ブラダーから１つの手動操作可能外部空気流量弁までの空気入口および出口通路をさらに備える、請求項１３または請求項１４に記載のブラダーシステム。
【請求項１９】
それぞれのフォーム充填ブラダーは、実質的に水平方向にではなく、垂直方向に圧縮可能であり、拡張可能である、請求項１８に記載のブラダーシステム。
【請求項２０】
請求項１から１９のいずれか１項に記載のブラダーシステムおよび前記ブラダーシステムが位置するクッション付きシートボトムを備える空気圧調整可能着座クッション。
【発明の詳細な説明】
【技術分野】
【０００１】
本発明は、空気圧調整可能着座クッションに関し、特に、クッション付きシートボトムのための空気圧調整可能ブラダーシステムに関しており、クッション付きシートボトムは、フォーム充填ブラダーと１つまたは複数の拡張チャンバーとの間での、または、複数のフォーム充填ブラダーの間での空気の内部制御式変位に従って自動的に膨張され収縮され得る。空気のそのような内部制御式変位は、シートボトムの着座した占有者がシートボトム上で自分自身を再位置決めするときに生成され、その占有者の体重のシフトは、着座した占有者の効果的なレベルの姿勢支持を自動調整する。
【背景技術】
【０００２】
空気圧調整可能ブラダーシステムを組み込むクッション付きシートボトムが、知られているが、骨盤の効果的な回転及び安定化ならびに腰部痛の防止のために所望される、シートボトム内への占有者の正しいレベルの沈み込みを、めったに達成しない。これは、シートボトムの大きい水平エリアを占有するブラダーシステムについて特に当てはまる。
【発明の概要】
【発明が解決しようとする課題】
【０００３】
したがって、ブラダーシステムの１つまたは複数のフォーム充填ブラダーの水平エリアが最小化される種類のクッション付きシートボトムのための空気圧調整可能ブラダーシステムを提供することが本発明の目的であり、そのブラダーシステムは、骨盤の効果的な回転及び安定化ならびに腰部痛の防止のために所望される、シートボトム内への占有者の正しいレベルの沈み込みを依然として達成し得る。
【課題を解決するための手段】
【０００４】
本発明の第１の態様によれば、クッション付きシートボトムで使用するための空気圧調整可能ブラダーシステムが提供され、システムは、
（ａ）シートボトムの着座した占有者の坐骨結節の下に位置するように適合されるフォーム充填ブラダーと、
（ｂ）１つまたは複数の拡張チャンバーであって、１つまたはそれぞれの拡張チャンバーは、着座した占有者の大腿部の下に位置するように適合される、１つまたは複数の拡張チャンバーと、
（ｃ）フォーム充填ブラダーを１つまたはそれぞれの拡張チャンバーに相互接続する１つまたは複数の空気通路とを備え、
システムは気密であり、フォーム充填ブラダーは、着座した占有者の体重の下で圧縮可能であり、体重が取り除かれると拡張可能であり、
フォーム充填ブラダーの圧縮は、フォーム充填ブラダー内からの空気を、１つまたは複数の空気通路を通って１つまたはそれぞれの拡張チャンバーに変位させ、１つまたはそれぞれの拡張チャンバーは、その後、拡張し、
それにより、着座した占有者の坐骨結節の下でのフォーム充填ブラダーの圧縮および着座した占有者の大腿部の下での１つまたはそれぞれの拡張チャンバーの拡張は、効果的な姿勢支持および腰部痛の防止のために所望される、クッション付きシートボトム内への正しいレベルの沈み込みを、着座した占有者に経験させる。
【０００５】
本発明のこの第１の態様の好ましい形態において、ブラダーシステムは、フォーム充填ブラダーから手動操作可能外部空気流量弁までの空気入口および出口通路を含む。
【０００６】
フォーム充填ブラダーが、実質的に水平方向にではなく、垂直方向に圧縮可能であり、拡張可能であることが同様に好ましい。
【０００７】
本発明の第２の態様によれば、クッション付きシートボトムで使用するための空気圧調整可能ブラダーシステムが提供され、システムは、
（ａ）シートボトムの着座した占有者の坐骨結節の下に位置するように適合される少なくとも１つの後(rear)フォーム充填ブラダーと、
（ｂ）着座した占有者の大腿部の下に位置するように適合される一対の前（front）フォーム充填ブラダーと、
（ｃ）１つまたはそれぞれの後フォーム充填ブラダーをそれぞれの前フォーム充填ブラダーに相互接続する一対の空気通路とを備え、
システムは気密であり、１つまたはそれぞれの後フォーム充填ブラダーは、着座した占有者の体重の下で圧縮可能であり、体重が取り除かれると拡張可能であり、
１つまたはそれぞれの後フォーム充填ブラダーの圧縮は、１つまたはそれぞれの後フォーム充填ブラダー内からの空気を、空気通路を通って前フォーム充填ブラダーに変位させ、前フォーム充填ブラダーは、その後、拡張し、
それにより、着座した占有者の坐骨結節の下での１つまたはそれぞれの後フォーム充填ブラダーの圧縮および着座した占有者の大腿部の下での前フォーム充填ブラダーの拡張は、効果的な姿勢支持および腰部痛の防止のために所望される、クッション付きシートボトム内への正しいレベルの沈み込みを、着座した占有者に経験させる。
【０００８】
本発明の第２の態様の好ましい形態において、ブラダーシステムは、１つの後フォーム充填ブラダーから１つの手動操作可能外部空気流量弁までの空気入口および出口通路を含む。
【０００９】
それぞれのフォーム充填ブラダーは、実質的に水平方向にではなく、垂直方向に圧縮可能であり、拡張可能である。
【００１０】
本発明の第３の態様によれば、上記で述べたブラダーシステムおよびブラダーシステムが位置するクッション付きシートボトムを備える空気圧調整可能着座クッションが提供される。
【図面の簡単な説明】
【００１１】
【図１】クッション付きシートボトムで使用するための、本発明の空気圧調整可能ブラダーシステムの第１の実施形態の斜視図である。
【図２】シートボトム内に位置する図１に示すシステムと同様の空気圧調整可能ブラダーシステムの第１の実施形態を示すクッション付きシートボトム（その上側カバーリング表面及びその内部フォームパッディングが共に取り外された状態）の上面図である。
【図３】本発明の第３の実施形態による、フォーム充填ブラダー、および、空気圧調整可能ブラダーシステムの一対の拡張チャンバーを視野から遮る内部フォームパッディングを示すクッション付きシートボトム（その下側カバーリング表面が取り外された状態）の底面図である。
【図４】拡張チャンバーおよびフォーム充填ブラダーの一方、および、チャンバーとブラダーとの間の相互接続用空気通路の切断部分を示す、図３に示すシートボトムのＡ−Ａを通る側面断面図である。
【図５】フォーム充填ブラダー、および、シートボトムの内部フォームパッディング内に成形された開放キャビティ内に位置する拡張チャンバーの切断部分を示す、図４に示すシートボトムのＢ−Ｂを通る上面断面図である。
【図６】フォーム充填ブラダー、および、ブラダーから手動操作可能外部空気流量弁までの空気入口／出口通路の切断部分を示す、図３に示すシートボトムのＣ−Ｃを通る側面断面図である。
【図７】図４に示す切断されたシートボトムの斜視図である。
【図８】クッション付きシートボトムで使用するための本発明の空気圧調整可能ブラダーシステムの第４の実施形態の斜視図である。
【図９】シートボトム内に位置する図８のブラダーシステムを示すクッション付きシートボトム（その上側カバーリング表面及びその内部フォームパッディングが共に取り外された状態）の上面図である。
【図１０】クッション付きシートボトムで使用するための本発明の空気圧調整可能ブラダーシステムの第５の実施形態の斜視図である。
【図１１】図１０に示す空気圧調整可能ブラダーシステムの側面図である。
【図１２】クッション付きシートボトムで使用するための本発明の空気圧調整可能ブラダーシステムの第６の実施形態の斜視図である。
【図１３】図１２に示す空気圧調整可能ブラダーシステムの側面図である。
【図１４】クッション付きシートボトムで使用するための本発明の空気圧調整可能ブラダーシステムの第７の実施形態の斜視図である。
【図１５】シートボトム内に位置する図１４のブラダーシステムを示すクッション付きシートボトム（その上側カバーリング表面及びその内部フォームパッディングが共に取り外された状態）の上面図である。
【図１６】図１４及び図１５に示す空気圧調整可能ブラダーシステムの後部端面図である。
【図１７】図１６に示す空気圧調整可能ブラダーシステムの右側面図である。
【図１８】クッション付きシートボトムで使用するための本発明の空気圧調整可能ブラダーシステムの第８の実施形態の斜視図である。
【図１９】シートボトム内に位置する図１６のブラダーシステムを示すクッション付きシートボトム（その上側カバーリング表面及びその内部フォームパッディングが共に取り外された状態）の上面図である。
【図２０】クッション付きシートボトムで使用するための本発明の空気圧調整可能ブラダーシステムの第９の実施形態の斜視図である。
【図２１】シートボトム内に位置する図２０のブラダーシステムを示すクッション付きシートボトム（その上側カバーリング表面及びその内部フォームパッディングが共に取り外された状態）の上面図である。
【図２２】クッション付きシートボトムで使用するための本発明の空気圧調整可能ブラダーシステムの第１０の実施形態の斜視図である。
【図２３】図２２に示す空気圧調整可能ブラダーシステムの側面図である。
【図２４】クッション付きシートボトムで使用するための本発明の空気圧調整可能ブラダーシステムの第１１の実施形態の斜視図である。
【図２５】クッション付きシートボトムで使用するための本発明の空気圧調整可能ブラダーシステムの第１２の実施形態の斜視図である。
【図２６】クッション付きシートボトムで使用するための本発明の空気圧調整可能ブラダーシステムの第１３の実施形態の斜視図である。
【発明を実施するための形態】
【００１２】
図１に示す空気圧調整可能ブラダーシステム１０は、クッション付きシートボトムで使用するために構成され、自己膨張ブラダー１２（シートボトムの後端でかつ下側領域に位置する）の気密配置構成、一対の拡張チャンバー１４、１６（シートボトムの前端でかつ中央領域に位置する）、およびブラダー１２を拡張チャンバー１４、１６のそれぞれに相互接続するそれぞれの空気通路１８、２０を含む。
【００１３】
自己膨張ブラダー１２は、この実施形態において、圧縮可能かつ拡張可能フォームまたはフォーム様材料を充填される、変形可能塩化ポリビニル（ＰＶＣ）フィルムまたはより好ましい熱可塑性ウレタン（ＴＰＵ）フィルムなどの柔軟かつ溶接可能材料の気密エンベロープを有する。
【００１４】
圧縮可能かつ拡張可能材料は、この実施形態において、網状ポリウレタンフォームであるが、任意の適した形態の連続気泡ポリウレタンフォームが使用されてもよい。
【００１５】
フォーム充填ブラダー１２は、実質的に水平または横方向にではなく、垂直方向に圧縮および拡張を受けることができる。
【００１６】
フォーム充填ブラダー１２は、この実施形態において、本明細書において後でより詳細に述べられる高周波溶接プロセスを使用することによって形成される。
【００１７】
空気通路１８、２０は、この実施形態において、ポリエチレンテレフタレート（ＰＥＴ）から作られる自己閉鎖半硬質巻き付け可能編み組みチューブまたはスリーブを使用することによって形成される、または、塩化ポリビニル（ＰＶＣ）から作られる半硬質内部チューブを使用することによって形成されてもよい。
【００１８】
ブラダーシステム１０は、使用時、図２に示され、同様のブラダーシステム３０がその中に位置する、シートボトム２４と同様の種類のクッション付きシートボトム内に位置する。クッション付きシートボトム２４は、内部フォームパッディング２５（図３〜図７に示すが、図２に示さない）を同様に含む。ブラダーシステム１０との比較を容易にするため、図２に示すブラダーシステム３０の同様の特徴部は、同様の数値で識別される。
【００１９】
ブラダーシステム３０は、ブラダーシステム１０の拡張チャンバー１４、１６がそうであるよりも、共により密接に離間したその拡張チャンバー１４、１６（シートボトムの前端かつ中央領域に依然として位置する）を有することによってブラダーシステム１０と異なる。
【００２０】
シートボトム２４の上側室内装飾布カバーリング表面上に人が座ると、その人の体重の大きさおよび方向は、空気を、フォーム充填ブラダー１２から空気通路１８を通して拡張チャンバー１４、１６に変位させ、それにより、ブラダー１２は、実質的に外方の水平または横移動を全く受けないが、下方垂直移動を受けることによって部分的に圧縮される。
【００２１】
変位空気の容積は、拡張チャンバー１４、１６のサイズによって、また、これらのチャンバーが拡張することを許容される量（すなわち、拡張チャンバーの容積容量）によって調節される。
【００２２】
ブラダー１２から拡張チャンバー１４、１６への変位空気のこの容積の移動は、シートボトム２４の後端におけるブラダーの制御された圧縮及びシートボトムの前端における拡張チャンバーの付随する制御された拡張をもたらし、シートボトムの占有者に、シートボトム内への、有利なレベルの、したがって、正しいレベルの沈み込みを自動的に経験させる。
【００２３】
シートボトム２４内への、占有者の正しいレベルの沈み込みを有することは、効果的な姿勢支持および腰部痛の防止のために所望される。そのような沈み込みは、下部脊椎(lower spine)に有害な圧力をかけうる前かがみおよび占有者の脊椎の結果として得られるＣ形成を防止し、坐骨結節の下の占有者の臀部によって経験されるシート接触圧を最小にし、均等な圧力分布を提供し、脊椎をなだらかなＳ形状に伸張させ、骨盤を正しく回転させ、安定させる。それらの全ては、そうならない場合、腰部痛を引き起こす、または、それに大幅に寄与することになる。
【００２４】
シートボトム内への着座した占有者の有利なレベルの、したがって、正しいレベルの沈み込みが達成されることを可能にする、フォーム充填ブラダー１２の制御された圧縮は、ブラダーの（前から後への）長さおよび（側面から側面への）幅寸法に大きく依存する。変位空気の任意の所与の容積について、ブラダーの長さおよび幅（製造時の）が低減される場合で、かつ、ブラダーが、使用時に、水平にまたは横方向に実質的に拡張するのを（その構造によって）防止される場合、ブラダーの制御された下方垂直移動または圧縮の程度および拡張チャンバーの付随する制御された上方垂直移動または拡張の程度が増加し、したがって、シートボトム内への、シートの占有者の沈み込みのレベルの増加をもたらすことになることを本発明者は見出した。したがって、最適な沈み込みは、ブラダーの製造される長さおよび幅寸法における最適レベルの減少または最小化によって、また、ブラダーが、使用時に、実質的に水平または横方向にではなく、垂直方向に圧縮および拡張を受けることを可能にすることによって達成され得る。
【００２５】
単に例として、（製造時の）フォーム充填ブラダーが、３０ｃｍの幅、２５ｃｍの長さ、および５ｃｍの高さを有し、３，７５０ｃｍ３の容積を生成する場合で、かつ、拡張チャンバーが、圧縮されたブラダーから変位した空気の１，０００ｃｍ３の容積を受け取る（したがって、ブラダー容積を１，０００ｃｍ３または約２７％だけ減少させる）結合容積を、使用時に有するように設計される場合で、かつ、ブラダーの幅および長さが圧縮下で実質的に変化しないならば、着座した占有者の下方垂直移動は約１．３ｃｍであることになる。
【００２６】
対照をなす例によって、（製造時の）フォーム充填ブラダーが、１７ｃｍの減少した幅、１５ｃｍの減少した長さ、および維持された５ｃｍの高さを有し、１，２７５ｃｍ３の容積を生成する場合で、かつ、拡張チャンバーが、圧縮されたブラダーから変位した空気の１，０００ｃｍ３の容積を受け取る（したがって、ブラダー容積を１，０００ｃｍ３または約７８％だけ減少させる）結合容積を、使用時に有するように設計される場合で、かつ、ブラダーの幅および長さが圧縮下で実質的に変化しないならば、着座した占有者の下方垂直移動は約３．９ｃｍであり、上記第１の例と比べて、シートボトム内への、シートの占有者の沈み込みのより大きいレベルをもたらすことになる。
【００２７】
フォーム充填ブラダーの最小幅は、シートボトムの占有者の２つの坐骨結節の間の幅の実用的範囲を収容しなければならない。例えば、狭い範囲の幅は１０ｃｍ以下であり、中程度の範囲の幅は１０ｃｍから１３ｃｍの間であり、広い範囲の幅は１３ｃｍより大きい。さらに、フォーム充填ブラダーの最小幅は、着座した占有者の坐骨結節の間の最大幅を収容するのにちょうど十分であるべきである。なおさらに、フォーム充填ブラダーの最小長さおよびフォーム充填ブラダーの後縁とシートボトムの後縁（または、シートバックの前側が、シートボトムの上側表面に接合する場所）との間の距離は、坐骨結節の間の幅の実用的範囲を収容するのにちょうど十分であるべきである。なおさらに、フォーム充填ブラダーの最大水平エリアは、坐骨結節の間の最大幅を収容するのにちょうど十分であるエリアを超えるべきでない。
【００２８】
拡張チャンバーの下に存在するのと同じほど多くの内部フォームパッディング２５が拡張チャンバーの上に存在するような、（シートボトム２４の任意の側面から観察するときの）シートボトム２４の中央領域内の拡張チャンバー１４、１６の配置は、シートボトムの下側領域に位置するのと違って、上方垂直移動の制限が少なく、したがって、拡張チャンバーのより大きいレベルの拡張が存在する点で有利である。
【００２９】
さらに、シートボトム２４の前端における拡張チャンバー１４、１６の配置は、着座した占有者の体重のほとんどが、シートボトムの後端（または後方領域）上に、通常向けられる点で有利であり、そのことは、拡張チャンバーに加わる下方圧力が小さく、したがって、拡張チャンバーがシートボトムの後端に位置した場合にそうであるのに比べて、拡張チャンバーがその拡張に対して少ない抵抗を経験することを可能にすることを意味する。
【００３０】
フォーム充填ブラダー１２が、着座した占有者の体重のほとんどが、通常向けられる場所であるシートボトムの後端に位置するため、ブラダーは、最適な圧縮を受けることになるため、ブラダーから拡張チャンバー１４、１６への変位空気の容積は、シートボトム内への着座した占有者の有利なレベルの沈み込みを達成うるために最適化されることになる。
【００３１】
シートボトム２４内でブラダー１２を拡張チャンバー１４、１６に相互接続する空気通路１８、２０は、ブラダーと拡張チャンバーとの間の空気の変位が妨げられるまたは損なわれる程度まで締め付けられないように構築され構成される。空気通路１８、２０は、方向または角度傾斜の垂直成分および水平成分を共に有する方向に延在する。
【００３２】
図３〜図７に示すブラダーシステム４０は、ブラダー１０と同様であるため、同様の特徴部は、同様の数字によって識別されるが、フォーム充填ブラダー１２から手動操作可能外部空気流量弁４４までの空気入口／出口通路４２を有することによってブラダー１０と異なる。
【００３３】
弁４４は、手動操作されて、シートボトム２４内への着座した占有者の沈み込みのレベルを、図１および図２の気密ブラダーシステムの自動操作から生じる沈み込みレベルを超えて動的に増加させ得る。
【００３４】
弁のボタンに対する指圧による弁４４の開放は、着座した占有者が、ブラダーシステム内から大気に空気を変位させることを可能にし、したがって、沈み込みのレベルを増加させることになる。
【００３５】
占有者が、シートボトムを空けるために立ち上がると、ブラダーは、変位空気を拡張チャンバーから自動的に回復することになるが、（シートボトムが空きのままである間に）弁４４が開放される場合に、その初期容積まで完全に再膨張するだけであることになる。
【００３６】
空気入口／出口通路４２および手動操作可能外部空気流量弁４４は、上述したブラダーシステム４０内で、システムの永久的な特徴部であるため、ブラダーシステム内の空気圧の手動調整が必要とされるときはいつでも、シートボトム２４の着座した占有者によって使用され得るが、これらの特徴部４２、４４は、代替的に永久的でなく、一時的であってよい。一時的特徴部として、空気入口／出口通路４２および手動操作可能外部空気流量弁４４は、シートボトム２４の全ての後続のユーザーについての所望される量にブラダーシステム４０内の空気圧をセットすることを必要とされる期間中に（シートボトムの着座した占有者が使用する前に、例えば、シートボトムの製造または設置中に）存在するだけであってよい。ブラダーシステム内の空気圧をセットした後、空気入口／出口通路４２および手動操作可能外部空気流量弁４４は、その後、フォーム充填ブラダー１２から密封されて、ブラダー内でセットされた空気圧を維持し得る。これに続いて、シートボトムの着座した占有者による、そのようなブラダーシステムを組み込むシートボトム２４の使用の前に、ブラダーシステムからの空気入口／出口通路４２および手動操作可能外部空気流量弁４４の分離が行われる。
【００３７】
図８及び図９に示すブラダーシステム５０は、ブラダーシステム４０と同様であるため、同様の特徴部は、同様の数字で識別されるが、ブラダーシステム５０のコンポーネントとブラダーシステム４０のコンポーネントとの間に異なるように配分された寸法、したがって、相対的サイズの差を有することによってブラダーシステム４０と異なる。
【００３８】
例えば、図９に示すように、より大きいサイズのフォーム充填ブラダー１２は、図４に示すフォーム充填ブラダーが占めるのに比べて、シートボトム２４のより大きい容積を占めるようなものである。
【００３９】
図１０および図１１に示すブラダーシステム５１において、単一の横に細長い拡張チャンバー５２（シートボトムの前端でかつ中央領域に位置する）は、ブラダーシステム１０、３０の一対の拡張チャンバー１４、１６を置換した。
【００４０】
ブラダーシステム５１の空気通路１８、２０は、この実施形態において、ＰＥＴから作られる自己閉鎖半硬質巻き付け可能編み組みチューブまたはスリーブを使用することによって形成される、または、ＰＶＣから作られる半硬質内部チューブを使用することによって形成されてもよい。その他の点では、ブラダーシステム５１は、ブラダーシステム１０、３０と同様であり、同様の特徴部は、同様の数字で識別される。
【００４１】
拡張チャンバー５２は、図１１の側面図で膨張しないで示されるが、シートボトムの着座した占有者の体重の下で圧縮を受けると、フォーム充填ブラダー１２からの空気の変位によって膨張する。
【００４２】
拡張チャンバー５２は、完全に膨張すると、円柱の全体的形状をとり、その形状で、拡張チャンバー５２は、サイズを垂直に拡張し、サイズを水平に収縮させて、シートボトム内への占有者の正しいレベルの沈み込みを提供する。
【００４３】
ブラダーシステム５１は、フォーム充填ブラダー１２から手動操作可能外部空気流量弁までの空気入口／出口通路を含んでもよい。含まれるとき、弁は、手動操作されて、シートボトム内への着座した占有者の沈み込みのレベルを、図１０および図１１の気密ブラダーシステムの自動操作から生じる沈み込みレベルを超えて増加させ得る。そのような空気入口／出口通路および手動操作可能外部空気流量弁の構造、機能、および操作は、図１０および図１１のブラダーシステムに含まれるとき、図３〜図９に示すブラダーシステム内に存在するものと同様である。
【００４４】
図１２および図１３に示すブラダーシステム５３において、３つの拡張チャンバー５４、５５、５６（シートボトムの前端でかつ中央領域に依然として位置する）は、ブラダーシステム５１の単一拡張チャンバー５２およびブラダーシステム１０、３０の一対の拡張チャンバー１４、１６を置換した。相応して、３つの空気通路５７、５８、５９が存在し、それぞれは、ブラダー１２をそれぞれの拡張チャンバー５４、５５、５６に相互接続する。その他の点では、ブラダーシステム５３は、ブラダーシステム５１、１０、３０と同様であり、同様の特徴部は、同様の数字で識別される。
【００４５】
拡張チャンバー５４、５５、５６は、図１３の側面図で膨張しないで示されるが、シートボトムの着座した占有者の体重の下で圧縮を受けると、フォーム充填ブラダー１２からの空気の変位によって膨張する。
【００４６】
拡張チャンバー５４、５５、５６は、完全に膨張すると、シートボトム内への占有者の正しいレベルの沈み込みを提供するように設計される特定の形状をとる。
【００４７】
ブラダーシステム５３は、フォーム充填ブラダー１２から手動操作可能外部空気流量弁までの空気入口／出口通路を含んでもよい。含まれるとき、弁は、手動操作されて、シートボトム内への着座した占有者の沈み込みのレベルを、図１２および図１３の気密ブラダーシステムの自動操作から生じる沈み込みレベルを超えて増加させ得る。そのような空気入口／出口通路および手動操作可能外部空気流量弁の構造、機能、および操作は、図１２および図１３のブラダーシステムに含まれるとき、図３〜図９に示すブラダーシステム内に存在するものと同様である。
【００４８】
ブラダーシステム１０、３０、４０、５０、５１、５３の場合と同様に、効果的な姿勢支持および腰部痛の防止のために所望される、シートボトム内への正しいレベルの沈み込みは、図１４〜図１７に示すブラダーシステム６０によって同様に達成され得る。さらに、ブラダーシステム６０は、着座した占有者の任意の体重シフト移動によって正しいレベルの沈み込みを動的にまたは自動的に達成し得る。
【００４９】
ブラダーシステム６０において、拡張チャンバーは全く存在せず、なぜならば、拡張チャンバーがフォーム充填ブラダーで置換されたからである。全てのそのようなフォーム充填ブラダーは、ブラダーシステム１０、３０、４０、５０、５１、５３で使用されるフォーム充填ブラダーと同様の特性を有する。
【００５０】
ブラダーシステム６０は４つのフォーム充填ブラダー６２、６４、６６、６８を含む。２つの後ブラダー６２、６４は空気通路７０によって相互接続され、左前フォーム充填ブラダー６６は、空気通路７２によって左後フォーム充填ブラダー６２に接続され、右前フォーム充填ブラダー６８は、空気通路７４によって右後フォーム充填ブラダー６４に接続される。
【００５１】
右後フォーム充填ブラダー６４から手動操作可能外部空気流量弁７８まで空気入口／出口通路７６が存在する。代替の実施形態において、空気入口／出口通路は、他のブラダー６２、６６、６８の任意の１つのブラダーに接続される。弁７８の操作は、図３〜図７ならびに図８および図９にそれぞれ示すブラダーシステム４０、５０の弁４４の操作と同様である。ブラダーシステム６０の代替の実施形態において、空気入口／出口通路７６および手動操作可能外部空気流量弁７８は、それらが単に一時的特徴部であるとき、例えば、上記で述べたように、シートボトム２４の製造または設置中などにおいて、省略されてもよい。
【００５２】
左後および右後ブラダー６２、６４は、（シートボトムの任意の側面から観察するとき）シートボトムの上側領域において内部フォームパッディング２５内に形成されるそれぞれの成形キャビティ内に位置し、使用時に、ブラダー６２、６４がそれぞれ、着座した占有者のそれぞれの坐骨結節のすぐ下にあるように位置決めされる。左前および右前ブラダー６６、６８は、それぞれの成形キャビティ内に同様に位置するが、使用時に、ブラダー６６、６８がそれぞれ、着座した占有者のそれぞれの大腿部のすぐ下にあるように位置決めされる。
【００５３】
着座した占有者の任意の体重シフト移動に応答して正しいレベルの沈み込みおよび腰部痛の防止を達成するための効果的な姿勢支持の所望の動的なまたは自動的な調整は、図１８および図１９に示すブラダーシステム８０によって同様に達成され得る。
【００５４】
ブラダーシステム８０において、単一の横に細長い後フォーム充填ブラダー８２は、ブラダーシステム６０の左後および右後フォーム充填ブラダー６２、６４を置換した。その他の点で、ブラダーシステム８０は、ブラダーシステム６０と同様であり、同様の特徴部は、同様の数字で識別される。
【００５５】
ブラダー８２は、使用時に、ブラダー８２が、着座した占有者の２つの坐骨結節の両方のすぐ下にあるように位置決めされる。
【００５６】
後フォーム充填ブラダー８２から手動操作可能外部空気流量弁７８まで空気入口／出口通路７６が存在する。代替の実施形態において、空気入口／出口通路は、他のブラダー６６、６８の任意の１つのブラダーに接続される。弁７８の操作は、図３〜図７ならびに図８および図９にそれぞれ示すブラダーシステム４０、５０の弁４４の操作と同様である。ブラダーシステム８０の代替の実施形態において、空気入口／出口通路７６および手動操作可能外部空気流量弁７８は、それらが単に一時的特徴部であるとき、例えば、上記で述べたように、シートボトム２４の製造または設置中などにおいて、省略されてもよい。
【００５７】
着座した占有者の任意の体重シフト移動に応答して正しいレベルの沈み込みおよび腰部痛の防止を達成するための効果的な姿勢支持の所望の動的なまたは自動的な調整は、図２０および図２１に示すブラダーシステム９０によって同様に達成されることができ、ブラダーシステム９０は、ブラダーシステム６０と同様であり、同様の特徴部は、同様の数字で識別される。
【００５８】
ブラダーシステム９０において、ブラダーシステム６０のように、４つのフォーム充填ブラダー６２、６４、６６、６８が存在し、２つの後ブラダー６２、６４は空気通路７０によって相互接続され、左前フォーム充填ブラダー６６は、空気通路７２によって左後フォーム充填ブラダー６２に接続され、右前フォーム充填ブラダー６８は、空気通路７４によって右後フォーム充填ブラダー６４に接続される。しかしながら、２つの前ブラダー６６、６８は空気通路９２によって同様に相互接続される。
【００５９】
右後フォーム充填ブラダー６４から手動操作可能外部空気流量弁７８まで空気入口／出口通路７６が存在する。代替の実施形態において、空気入口／出口通路は、他のブラダー６２、６６、６８の任意の１つのブラダーに接続される。弁７８の操作は、図３〜図７ならびに図８および図９にそれぞれ示すブラダーシステム４０、５０の弁４４の操作と同様である。ブラダーシステム９０の代替の実施形態において、空気入口／出口通路７６および手動操作可能外部空気流量弁７８は、それらが単に一時的特徴部であるとき、例えば、上記で述べたように、シートボトム２４の製造または設置中などにおいて、省略されてもよい。
【００６０】
左後および右後ブラダー６２、６４は、（シートボトムの任意の側面から観察するとき）シートボトムの上側領域において内部フォームパッディング２５内に形成されるそれぞれの成形キャビティ内に位置し、使用時に、ブラダー６２、６４がそれぞれ、着座した占有者のそれぞれの坐骨結節のすぐ下にあるように位置決めされる。左前および右前ブラダー６６、６８は、それぞれの成形キャビティ内に同様に位置するが、使用時に、ブラダー６６、６８がそれぞれ、着座した占有者のそれぞれの大腿部のすぐ下にあるように位置決めされる。
【００６１】
ブラダーシステム６０、８０、９０は、最初に、部分的に圧縮した／部分的に膨張した状態にあり、それにより、それらのフォーム充填ブラダーの任意のブラダーは、システムの相互接続されたフォーム充填ブラダーから変位する空気の制限された量をいつでも受け取る準備ができている。
【００６２】
シートボトムが、その後、人によって占有され、着座した占有者の坐骨結節が、ブラダーシステム６０またはブラダーシステム９０の左後および右後フォーム充填ブラダー６２、６４のすぐ上に、または、ブラダーシステム８０の単一の横に細長い後フォーム充填ブラダー８２のすぐ上に位置すると、占有者の体重は、既に部分的に圧縮された後ブラダー６２、６４、または８２をそれぞれ圧縮して、部分的に膨張した左前および右前フォーム充填ブラダー６６、６８内に制限された量の空気を変位させることになり、ブラダー６６、６８のすぐ上で、着座した占有者の大腿部が支持される。
【００６３】
こうした後ブラダー６２、６４、または８２からの、変位空気による前ブラダー６６、６８の充填、ならびに、空気変位の方向の反転による、後ブラダー６２、６４、または８２の充填は、着座した占有者の任意の体重シフト移動によって動的にまたは自動的に提供される。
【００６４】
ブラダーシステム９０において、空気は、１つの前フォーム充填ブラダーから他の前フォーム充填ブラダーにさらに変位され、着座した占有者の任意の体重シフト移動に応答して正しいレベルの沈み込みおよび腰部痛の防止を達成するための効果的な姿勢支持のさらにより迅速な自動調整をもたらし得る。
【００６５】
シートボトム内への着座した占有者の有利なレベルの、したがって、正しいレベルの沈み込みが達成されることを可能にする、フォーム充填ブラダー１２の制御された圧縮は、ブラダーシステム６０、８０、９０内のブラダーの（前から後への）長さおよび（側面から側面への）幅寸法に大きく依存する。変位空気の任意の所与の容積について、ブラダーの長さおよび幅（製造時の）が低減される場合で、かつ、ブラダーが、使用時に、水平にまたは横方向に実質的に拡張するのを（その構造によって）防止される場合、後ブラダーの制御された下方垂直移動または圧縮の程度および前ブラダーの付随する制御された上方垂直移動または拡張の程度が増加し、したがって、シートボトム内への、シートの占有者の沈み込みのレベルの増加をもたらすことになることを本発明者は見出した。したがって、最適な沈み込みは、ブラダーシステム６０、８０、９０のブラダーの製造される長さおよび幅寸法における最適レベルの減少または最小化によって、また、ブラダーが、使用時に、実質的に水平または横方向にではなく、垂直方向に圧縮および拡張を受けることを可能にすることによって達成され得る。
【００６６】
図２２及び図２３に示すブラダーシステム９６は、ブラダーシステム５１と同様であるため、同様の特徴部は、同様の数字で識別されるが、一対の空気通路１８、２０の代わりに、ブラダー１２を拡張チャンバー５２に相互接続する単一空気通路９８を有することによって、また、特に、シートボトムの前端に向かってさらに延在する拡張チャンバー５２の、異なるように配分された寸法を有することによってブラダーシステム５１と異なる。
【００６７】
空気通路９８は、空気通路１８、２０のそれぞれのように、この実施形態において、ＰＥＴから作られる自己閉鎖半硬質巻き付け可能編み組みチューブまたはスリーブを使用することによって形成される、または、ＰＶＣから作られる半硬質内部チューブを使用することによって形成されてもよい。
【００６８】
ブラダーシステム９６は、フォーム充填ブラダー１２から手動操作可能外部空気流量弁までの空気入口／出口通路を含んでもよい。含まれるとき、弁は、手動操作されて、シートボトム内への着座した占有者の沈み込みのレベルを、図２２および図２３の気密ブラダーシステムの自動操作から生じる沈み込みレベルを超えて増加させ得る。そのような空気入口／出口通路および手動操作可能外部空気流量弁の構造、機能、および操作は、図２２および図２３のブラダーシステムに含まれるとき、図３〜図９に示すブラダーシステム内に存在するものと同様である。
【００６９】
図２４、図２５、図２６に示すブラダーシステム１００、１０２、１０４は、シートボトムの着座した占有者がブラダーシステム１００、１０２、１０４の任意のブラダーシステム内で空気圧を手動で調整できないように、空気入口／出口通路７６および手動操作可能外部空気流量弁７８が、省略されたことを除いて、ブラダーシステム６０、８０、９０と、構造、機能、および操作が同一である。
【００７０】
本発明のブラダーシステム１０、３０、４０、５０、５１、５３、９６で使用されるフォーム充填ブラダーは、以下の高周波溶接プロセスのステップに従って主に形成される：
１．ＰＶＣフィルムまたはＴＰＵフィルムなどの柔軟かつ溶接可能材料の第１の気密シートが、適切に設計された溶接ツールを含む高周波溶接機械のベースプレートまたは下側プラテン上に(laid on)載せられる。
２．適切な量の圧縮可能かつ拡張可能フォームまたはフォーム様材料が、約５０ｍｍの垂直厚さまで、第１のシート上に正確に位置決めされる。
３．必要とされる数の所定の長さの９ｍｍ自己閉鎖半硬質巻き付け可能編み組みＰＥＴチューブまたはＰＶＣチューブが、第１のシート上で、空気通路の所望の位置に対応する場所に正確に位置決めされ、チューブのそれぞれは、空気通路を通る最適空気流を維持するのに役立つ。
４．ステップ１で使用された柔軟かつ溶接可能材料の第２の気密シートが、第１のシート、圧縮可能材料、および編み組みチューブの上に載せられる。
５．溶接機械の上側プラテンが下がるため、溶接ツールが、第１および第２のシートを、第１および第２のシートのそれぞれの周縁の周りで接合する硬質溶接部を形成するが、硬質溶接部内に１０ｍｍギャップを同様に形成し、硬質溶接部は、フォーム充填ブラダーのそのように形成された外側側壁から（溶接ビードのように）水平方向に外方に突出するため、外側側壁の実質的に水平のまたは横方向の伸張（拡張または圧縮）を防止する。
６．スピルが１０ｍｍギャップに挿入され、フォーム充填ブラダーが、完全に垂直に拡張するまで空気で膨張する。
７．１０ｍｍギャップが、バー溶接部によって密封されて、圧縮可能材料の周りに気密エンベロープを形成し、それにより、フォーム充填ブラダーを密封する。
【００７１】
最初に、部分的に圧縮した／部分的に膨張した状態にある、ブラダーシステム６０、８０、９０、１００、１０２、１０４内で使用されるフォーム充填ブラダーを形成するため、上記プロセスは、適切かつ十分に理解された調整器具によって実施されて、フォーム充填ブラダーの相互接続された配置構成のみを形成する。特に、溶接機械の下側プラテンと上側プラテンとの間に、完全に拡張したがまだ密封されていないブラダーシステム６０、８０、９０、１００、１０２、１０４を挿入し、その後、上側プラテンを、所定の位置であって、プラテンが所望の距離だけ離れ、所望の容積の空気が、システムの相互接続されたフォーム充填ブラダーから、プラテンの圧力によって排出された、所定の位置まで上げるさらなるステップが存在する。これは、ブラダーシステム６０、８０、９０、１００、１０２、１０４の最初の部分的に圧縮した／部分的に膨張した状態を生成する。
【００７２】
本発明の範囲またはアンビットから逸脱することなく、上述した空気圧調整可能ブラダーシステムの設計および構造の詳細において種々の修正が行われてもよいことが当業者に容易に明らかになるであろう。
【図１】
2020515363.tif 000003
【図２】
2020515363.tif 000004
【図３】
2020515363.tif 000005
【図４】
2020515363.tif 000006
【図５】
2020515363.tif 000007
【図６】
2020515363.tif 000008
【図７】
2020515363.tif 000009
【図８】
2020515363.tif 000010
【図９】
2020515363.tif 000011
【図１０】
2020515363.tif 000012
【図１１】
2020515363.tif 000013
【図１２】
2020515363.tif 000014
【図１３】
2020515363.tif 000015
【図１４】
2020515363.tif 000016
【図１５】
2020515363.tif 000017
【図１６】
2020515363.tif 000018
【図１７】
2020515363.tif 000019
【図１８】
2020515363.tif 000020
【図１９】
2020515363.tif 000021
【図２０】
2020515363.tif 000022
【図２１】
2020515363.tif 000023
【図２２】
2020515363.tif 000024
【図２３】
2020515363.tif 000025
【図２４】
2020515363.tif 000026
【図２５】
2020515363.tif 000027
【図２６】
2020515363.tif 000028
【国際調査報告】
2020515363.tif 000029
2020515363.tif 000030
2020515363.tif 000031